(57)【要約】【課題】撮影中の動画を撮影場所でリアルタイムに合成可能とするとともに、ユーザが自由に持ち運びすることができ、かつ、合成された動画に一定の精度を保証することのできる装置を提供すること。【解決手段】ビデオカメラ１は、撮影中の動画と予め記憶された基動画データとを合成する合成手段２０２と、合成手段２０２により合成された合成動画を表示する表示手段３０１とを備える。合成手段２０２は、倍率変更手段２０１により撮影中の大きさが調整されると、調整された大きさで撮影中の動画と基動画データとを合成する。その結果、表示手段３０１で表示される合成動画における撮影中の被写体の大きさも調整される。【選択図】図１
2010193155.tif 000002
【特許請求の範囲】
【請求項１】
被写体の動画を撮影する撮影手段と
撮影中の動画の大きさを調整する倍率変更手段と、
撮影中の動画と合成するための複数の基動画データが予め記憶されている記憶手段と、
ユーザの操作により、前記複数の基動画データから１の基動画データを選択する動画選択手段と、
撮影中の動画を選択された前記基動画データと合成し、合成動画データを生成する合成手段と、
前記合成手段により生成された合成動画データに対応する合成動画を表示する表示手段と、
を備え、
前記合成手段は、倍率変更手段により調整された大きさで撮影中の動画と前記基動画データとを、合成することを特徴とするビデオカメラ。
【請求項２】
ユーザの操作により、前記合成動画データを前記記憶手段に記憶する録画手段をさらに備えることを特徴とする請求項１に記載のビデオカメラ。
【請求項３】
被写体の動画を撮影する撮影手段と
撮影中の動画の大きさを調整する倍率変更手段と、
撮影中の動画と合成するための複数の基動画データ及び前記基動画データの一場面を示す画像データが予め記憶されている記憶手段と、
ユーザの操作により、前記画像データを選択する画像選択手段と、
撮影中の動画を選択された前記画像データと合成し、合成動画データを生成する合成手段と、
前記合成手段により生成された合成動画データに対応する合成動画を表示する表示手段と、
を備え、
前記合成手段は、倍率変更手段により調整された大きさで撮影中の動画と前記画像データとを、合成することを特徴とするビデオカメラ。
【請求項４】
ユーザの操作により、前記画像データに対応する基動画データと撮影中の動画との合成動画データを前記記憶手段に記憶する録画手段をさらに備えることを特徴とする請求項３に記載のビデオカメラ。
【請求項５】
前記基動画データは、撮影中の動画に対する背景データ又は前景データのいずれかであることを特徴とする請求項１から４のいずれか記載のビデオカメラ。
【請求項６】
前記記憶手段が取り外し可能に構成されることを特徴とする請求項１から５のいずれか記載のビデオカメラ。
【発明の詳細な説明】
【技術分野】
【０００１】
本発明は、動画合成機能を有するビデオカメラであって、特に、撮影中の動画をリアルタイムで合成するビデオカメラに関する。
【背景技術】
【０００２】
近年、ビデオカメラはその小型化によって一般の家庭にまで普及し、旅行などのイベントの撮影に多くの機会で用いられている。また、ビデオカメラの普及に伴い、撮影した動画を合成し、独自の作品を作成するユーザも増えている。
【０００３】
ところで、通常このような動画の合成は撮影場所とは別の場所（例えば、自宅）でコンピュータを用いて行うものであるが、動画合成技術として撮影から動画の合成まで一つの装置で行うことのできる画像撮影装置が知られている（特許文献１）。このような画像撮影装置によれば、撮影場所で撮影した動画をリアルタイムで合成することができる。
【先行技術文献】
【特許文献】
【０００４】
【特許文献１】特開２００５−２２３５１３号公報
【発明の概要】
【発明が解決しようとする課題】
【０００５】
しかしながら、上記画像撮影装置は持ち運び困難に構成されていて、撮影場所が限定されてしまうという問題があった。そこで、一般のユーザが自由に持ち運びすることができ、かつ、撮影中にリアルタイムで撮影した動画を合成することの可能な装置が望まれていた。また、合成された動画の品質を重視するユーザも多く、撮影場所で動画の合成を行った場合であっても、合成された動画には一定の精度が要求される。
【０００６】
本発明は、上述した課題に鑑みてなされたものであり、撮影場所で撮影中の動画をリアルタイムに合成可能とするとともに、ユーザが自由に持ち運びすることができ、かつ、合成された動画に一定の精度を保証することのできる装置を提供することを目的とする。
【課題を解決するための手段】
【０００７】
以上のような目的を達成するために、本発明は、以下のようなビデオカメラを提供する。
【０００８】
（１）  被写体の動画を撮影する撮影手段と撮影中の動画の大きさを調整する倍率変更手段と、撮影中の動画と合成するための複数の基動画データが予め記憶されている記憶手段と、ユーザの操作により、前記複数の基動画データから１の基動画データを選択する動画選択手段と、撮影中の動画を選択された前記基動画データと合成し、合成動画データを生成する合成手段と、前記合成手段により生成された合成動画データに対応する合成動画を表示する表示手段と、を備え、
前記合成手段は、倍率変更手段により調整された大きさで撮影中の動画と前記基動画データとを、合成することを特徴とするビデオカメラ。
【０００９】
（１）のビデオカメラによれば、合成手段は被写体を撮影中に撮影中の動画と記憶手段に記憶される基動画データとを合成し、表示手段は合成された合成動画データに対応する合成動画を表示する。これにより、撮影中の動画を撮影場所でリアルタイムに合成可能とするとともに、リアルタイムで合成された合成動画をユーザは被写体を撮影しながら確認することができる。この場合において、合成手段は、倍率変更手段により撮影中の動画の大きさが調整されると、調整された大きさで撮影中の動画と基動画データとを合成する。そのため、被写体の大きさを合成動画（基動画）に対して適切な大きさにすることができ、結果として、リアルタイムで合成しつつ高い完成度を誇る合成動画を容易に作成することができる。
したがって、撮影中の動画を撮影場所でリアルタイムに合成可能とするとともに、ユーザが自由に持ち運びすることができ、かつ、合成された動画に一定の精度を保証することのできる装置を提供することができる。
【００１０】
（２）  ユーザの操作により、前記合成動画データを前記記憶手段に記憶する録画手段をさらに備えることを特徴とする（１）に記載のビデオカメラ。
【００１１】
（２）のビデオカメラによれば、リアルタイムに合成され一定の精度が保証される合成動画を記憶することができる。
【００１２】
（３）  被写体の動画を撮影する撮影手段と撮影中の動画の大きさを調整する倍率変更手段と、撮影中の動画と合成するための複数の基動画データ及び前記基動画データの一場面を示す画像データが予め記憶されている記憶手段と、ユーザの操作により、前記画像データを選択する画像選択手段と、撮影中の動画を選択された前記画像データと合成し、合成動画データを生成する合成手段と、前記合成手段により生成された合成動画データに対応する合成動画を表示する表示手段と、を備え、
前記合成手段は、倍率変更手段により調整された大きさで撮影中の動画と前記画像データとを、合成することを特徴とするビデオカメラ。
【００１３】
（３）のビデオカメラによれば、合成手段が、基動画データの一場面を示す画像データと撮影中の動画とを合成するため、撮影中の動画と基動画との間の被写体の大きさ調整に費やす時間のずれを防止することができる。
【００１４】
（４）  ユーザの操作により、前記画像データに対応する基動画データと撮影中の動画との合成動画データを前記記憶手段に記憶する録画手段をさらに備えることを特徴とする（３）に記載のビデオカメラ。
【００１５】
（４）のビデオカメラによれば、被写体の大きさの調整後、ユーザの操作により基動画データと撮影中の動画とが合成され、記憶される。その結果、基動画の動きに合わせて被写体を合成する場合に好適となる。すなわち、被写体の大きさの調整中に基動画を静止しておき、調整後に基動画を動かし記憶するため、撮影中の動画と基動画との間の時間のずれを防止することができる。
【００１６】
（５）  前記基動画データは、撮影中の動画に対する背景データ又は前景データのいずれかであることを特徴とする（１）から（４）のいずれか記載のビデオカメラ。
【００１７】
（５）のビデオカメラによれば、撮影中の動画に対して様々な合成を行うことができる。
【００１８】
（６）  前記記憶手段が取り外し可能に構成されることを特徴とする（１）から（５）のいずれか記載のビデオカメラ。
【００１９】
（６）のビデオカメラによれば、基動画としてビデオカメラにより撮影された動画だけでなく、様々な手段により取得された動画を用いることができる。また、記憶手段の容量によらず、合成動画を記憶することができる。
【発明の効果】
【００２０】
本発明によれば、撮影中の動画を撮影場所でリアルタイムに合成可能とするとともに、ユーザが自由に持ち運びすることができ、かつ、合成された動画に一定の精度を保証することのできる装置を提供することができる。
【図面の簡単な説明】
【００２１】
【図１】本発明の実施形態にかかるビデオカメラのハードウェア構成を示す図である。
【図２】上記実施形態のビデオカメラの機能ブロック図である。
【図３】上記実施形態のビデオカメラの合成時における液晶ディスプレイの表示画面である。
【図４】上記実施形態のビデオカメラの倍率調整時の液晶ディスプレイの表示画面である。
【図５】上記実施形態のビデオカメラの処理を示すフローチャートである。
【図６】上記実施形態のビデオカメラの倍率調整時の液晶ディスプレイの表示画面である。
【図７】別実施形態のビデオカメラの機能ブロック図である。
【図８】上記実施形態のビデオカメラの背景画像選択時の液晶ディスプレイの表示画面である。
【図９】上記実施形態のビデオカメラの倍率調整時の液晶ディスプレイの表示画面である。
【図１０】上記実施形態のビデオカメラの処理を示すフローチャートである。
【発明を実施するための形態】
【００２２】
以下、本発明の実施形態について図面に基づいて説明する。
【００２３】
＜第１実施形態＞
［ビデオカメラ１のハードウェア構成］
図１を参照して、第１実施形態にかかるビデオカメラ１のハードウェア構成について説明する。ビデオカメラ１はユーザが持ち運び可能な小型ビデオカメラであり、入力部１０、制御部２０、出力部３０、及び操作部４０を備える。
【００２４】
入力部１０は、カメラ１１及び集音マイク１２により構成され、後述の撮影手段１０１（図２参照）として機能する。
カメラ１１は撮影対象の被写体を撮影し、集音マイク１２は撮影時の音声を収集する。カメラ１１により撮影された動画データ、及び集音マイク１２により収集された音声データは、制御部２０に供給される。
【００２５】
制御部２０は、ＣＰＵ２１、ＲＯＭ（読み出し専用メモリ）２２、ＲＡＭ（読み書き可能メモリ）２３、バス２４、各種インターフェイス２５（図中においてはＩ／Ｆと省略する）、ハードディスクドライブ２６などで構成され、後述の倍率変更手段２０１、合成手段２０２、記憶手段２０３、動画選択手段２０４、及び録画手段２０５（図２参照）として機能する。
【００２６】
ＣＰＵ２１、ＲＯＭ２２、ＲＡＭ２３は、バス２４に接続されている。ＣＰＵ２１は、ＲＯＭ２２や、ハードディスクドライブ２６に記憶されたプログラムに従って、各種の処理を実行する機能を有する。ＲＯＭ２２には、ＣＰＵ２１により各種の処理を実行させるためのプログラムが記憶されている。また、ＲＡＭ２３は、ＣＰＵ２１の一時記憶領域として種々のフラグや変数の値を記憶する機能を有する。
【００２７】
バス２４には、各種のインターフェイス２５が接続されている。インターフェイス２５は、ＣＰＵ２１と、カメラ１１、集音マイク１２、ハードディスクドライブ２６、液晶ディスプレイ３１、スピーカ３２といった各種周辺装置との間で制御を行うこととなる。
【００２８】
ハードディスクドライブ２６には、ＣＰＵ２１によりビデオカメラ１の動作を制御するためのプログラムが記憶されている。また、このハードディスクドライブ２６には、撮影した被写体の動画と合成するための基動画データが複数記憶されている。本実施の形態では、この基動画データとして、合成時に撮影中の動画の後方に表示される背景動画データを例にとって説明するが、基動画データは背景動画データに限られず、合成時に撮影中の動画の前方に表示される前景動画データであってもよい。また、ハードディスクドライブ２６は、撮影中の動画データと基動画データとを合成した合成動画データを記憶することができる。
【００２９】
なお、ハードディスクドライブ２６はビデオカメラ１から取り外し可能であっても取り外し不可能であってもよい。また、ハードディスクドライブ２６に換えて又は加えて、ＤＶＤ−Ｒなどのコンピュータによって読み取り可能な情報記憶媒体を備えることとしてもよい。
【００３０】
出力部３０は、液晶ディスプレイ３１及びスピーカ３２により構成され、後述の表示手段３０１（図２参照）として機能する。
液晶ディスプレイ３１は、制御部２０の表示命令に応じて合成動画などの各種の画像を表示し、スピーカ３２は、表示されている動画に対応する音声を、制御部２０の音出力命令に応じて出音する。
【００３１】
操作部４０は、選択ボタン４１、同期ボタン４２、ズームボタン４３、及び録画ボタン４４により構成され、ユーザからの操作を受け付ける。
【００３２】
選択ボタン４１は、制御部２０に記憶された複数の基動画データから１の基動画データを選択する際に用いられる。同期ボタン４２は、撮影中の動画と基動画データとの合成を開始する際に用いられる。同期ボタン４２が操作されると、選択ボタン４１の操作により選択された基動画データと撮影中の動画とが制御部２０によって合成され、その合成動画が出力部３０に出力される（液晶ディスプレイ３１に表示される）。
【００３３】
ズームボタン４３は、撮影対象の被写体の大きさを調整する際に用いられる。液晶ディスプレイ３１に表示される撮影中の被写体は、ズームボタン４３の操作に応じてその大きさが変更される。録画ボタン４４は、撮影中の動画を制御部２０のハードディスクドライブ２６に記憶する際に用いられる。本実施の形態にかかるビデオカメラ１では、同期ボタン４２の操作後、録画ボタン４４が操作されると合成動画データをハードディスクドライブ２６に記憶する。
【００３４】
［ビデオカメラ１の機能構成］
次に、図２を参照して、ビデオカメラ１の機能について説明する。
【００３５】
撮影手段１０１は、動画を撮影し、その動画データ及び音声データを制御部２０へ供給する。なお、ビデオカメラ１では、撮影中の動画とハードディスクドライブ２６に記憶される基動画とをリアルタイムで合成するため、撮影中の動画（又は基動画）は特定の色を背景に撮影されることが好ましい。この特定の色とは、例えば、クロマキーブルー（青色）であり、後述する合成手段２０２による合成の際、被写体部分のみを取り出すためである。
【００３６】
倍率変更手段２０１は、ズームボタン４３の操作により、撮影中の動画の大きさを調整する。
【００３７】
合成手段２０２は、記憶手段２０３に記憶された基動画データのうち動画選択手段２０４により選択された基動画データと、撮影中の動画データとを合成する。具体的には、撮影中の動画データにクロマキー加工を施し、撮影中の動画データから被写体部分のみを抜き出し、基動画データ（背景）と合成する。また、合成手段２０２は、撮影中の動画の音声データと基動画の音声データとを同期させて合成する。
【００３８】
表示手段３０１は、合成手段２０２により合成された合成動画を表示する。ここで、ユーザは、表示手段３０１に表示される動画から撮影中の被写体の大きさ、すなわち、合成動画における撮影中の被写体の大きさを確認することができる。その結果、合成動画に対して被写体の大きさが不適切である場合には、ズームボタン４３を操作し、合成動画における被写体の大きさを調整することができる。
【００３９】
そして、合成動画における被写体の大きさが適切になった場合には、ユーザが録画ボタン４４を操作することで、録画手段２０５は記憶手段２０３に合成動画データを記憶する。
【００４０】
このように、本実施の形態におけるビデオカメラ１では、被写体を撮影しながらリアルタイムに動画を合成することができるだけでなく、合成された動画における被写体の大きさを、合成された動画を確認しながら被写体の撮影中に調整することができる。そのため、合成動画における被写体の大きさが不適切になることを防止することができ、リアルタイムの動画の合成において一定の精度を保証することができる。
【００４１】
［表示手段３０１の表示例］
次に、図３及び図４を参照して、本実施の形態におけるビデオカメラ１の表示手段３０１（液晶ディスプレイ３１）の表示例について説明する。図３は、基動画（背景）の撮影時における表示手段３０１の表示例と、基動画と合成する被写体（前景）の撮影時における表示手段３０１の表示例を示し、図４は、合成動画における被写体の大きさを調整する際の表示手段３０１の表示例を示す。なお、図３では理解を容易にするため表示手段３０１が撮影者と反対側を向いているが、表示手段３０１が撮影者側を向くように構成してもよい。
【００４２】
図３（１）を参照して、ビデオカメラ１は、基動画としてゴルフ場の背景７１を撮影する。このとき、表示手段３０１には、背景７１が表示される。なお、撮影された背景７１は基動画として、ビデオカメラ１の記憶手段２０３（ハードディスクドライブ２６）に記憶される。
【００４３】
図３（２）を参照して、ビデオカメラ１は、基動画と合成する被写体８１を撮影する。ここで、被写体８１を撮影する際にはその背景が特定の色であることが望ましい。これにより、基動画との合成時に被写体部分のみを抜き出して合成することができるためである。被写体８１の撮影中には、表示手段３０１には被写体８１が表示されるが、基動画を選択し同期ボタン４２が操作されると、表示手段３０１には撮影中の被写体８１と基動画としての背景７１とが合成された合成動画７３が表示される。その結果、図３（２）において表示手段３０１にはゴルフ場で被写体８１がゴルフをする様子が表示される。
【００４４】
このように、本実施の形態におけるビデオカメラ１では、持ち運び可能なビデオカメラ１において、被写体８１を撮影中に予め記憶していた基動画と被写体８１とを合成することができる。また、ビデオカメラ１の表示手段３０１には、合成した合成動画７３が表示され、リアルタイムで合成した合成動画７３を確認しながら、被写体８１の位置・大きさなどを調整することができる。
【００４５】
図４は、合成動画７３における被写体８１の大きさを調整する際の表示手段３０１の表示例である。
【００４６】
被写体８１を撮影しつつリアルタイムで背景７１と合成した場合には、被写体８１の大きさが適切でないことが起り得る。図４（１）は、被写体８１が背景７１に対して著しく大きい様子を示す図である。
【００４７】
このような場合に、ユーザがズームボタン４３を操作すると倍率変更手段２０１は、合成動画７３における被写体８１の大きさを調整する。このとき、合成手段２０２は倍率変更手段２０１により調整された大きさで被写体８１と背景７１とを合成するとともに、表示手段３０１には被写体８１の大きさが調整された合成動画７３が表示される。図４（２）は、被写体８１の大きさを小さくした場合の表示例であり、被写体８１が背景７１に対して著しく小さい様子を把握できる。
【００４８】
このように、被写体８１の撮影中に表示手段３０１を介して合成動画を見ながら被写体８１の大きさを調整することができるため、図４（３）に示すように、被写体８１を背景７１に対して適切な大きさにすることができる。その結果、リアルタイムで合成しつつ一定の完成度を誇る合成動画を容易に作成することができる。
【００４９】
［ビデオカメラ１の処理］
次に、図５を参照して、ビデオカメラ１における処理の流れを説明する。
【００５０】
Ｓ１１：選択ボタン４１に対するユーザの操作を受け、動画選択手段２０４は記憶手段２０３に記憶された複数の基動画データから１の基動画データを選択する。
Ｓ１２、Ｓ１３：同期ボタン４２に対するユーザの操作を受け、合成手段２０２は撮影中の動画データと選択した基動画データとを合成する。
Ｓ１４：このとき、表示手段３０１には、合成した合成動画が表示される。
【００５１】
Ｓ１５、Ｓ１６：表示手段３０１に表示された合成動画における撮影中の被写体の大きさが不適切である場合には、ユーザはズームボタン４３を操作し、被写体の大きさを調整する。すなわち、ズームボタン４３に対するユーザの操作を受けると、倍率変更手段２０１は被写体の大きさを調整する。
このとき、合成手段２０２が倍率変更手段２０１により調整された大きさで被写体と基動画とを合成するとともに、表示手段３０１には被写体の大きさが調整された合成動画が表示される。
【００５２】
Ｓ１７、Ｓ１８：合成動画における被写体の大きさの調整後、録画ボタン４４に対するユーザの操作を受けると、録画手段２０５は合成動画を記憶手段２０３に記憶する。その結果、記憶手段２０３には被写体の大きさが適切に調整された合成動画が記憶される。
【００５３】
＜第２実施形態＞
ところで、第１実施形態のビデオカメラ１は、基動画として背景のみを用いる場合には好適であるが、基動画として背景に加え人物が表示されている場合には、ビデオカメラ１の構成は必ずしも好ましくない。
【００５４】
図６は、基動画に人物８３がスイングする様子を記憶した動画を用いた場合における、第１実施形態のビデオカメラ１の表示手段３０１の表示例を示したものである。図６（１）に示すように、基動画としてゴルフ場の背景７１に加えて人物８３がスイングする様子を用い、この基動画に図６（２）に示す被写体８１の動画と合成する場合について考える。例えば、人物８３を参考に被写体８１のゴルフスイングのチェックを行う場合である。
【００５５】
図６（３）において、合成動画７５における被写体８１の大きさが著しく大きいことが認識される。この場合において、図６（４）、（５）に示すように、ユーザのズームボタン４３の操作により被写体８１の大きさを調整することができるが、基動画は被写体８１の撮影より前に予め記憶していた動画であり人物８３は被写体８１の大きさに関わらずスイングを開始してしまう。そのため、被写体８１の大きさが適切になった時には（図６（５））既に人物８３のスイングが終わってしまっている。このように、ビデオカメラ１では、人物８３を参考にして被写体８１のゴルフスイングのチェックを行うのに適さない場合がある。
【００５６】
第２実施形態のビデオカメラ１Ａは、被写体の撮影中におけるリアルタイムの合成及びリアルタイムの表示を実現しつつ、基動画に合成する被写体を基動画の動作に合わせることを可能にするものである。以下、図７〜図１０を参照して、第２実施形態のビデオカメラ１Ａについて説明する。なお、第２実施形態のビデオカメラ１Ａのハードウェア構成は、第１実施形態のビデオカメラ１のハードウェア構成（図１）と同じであるため説明を省略する。
【００５７】
［ビデオカメラ１Ａの機能構成］
図７を参照して、ビデオカメラ１Ａの機能について説明する。第２実施形態のビデオカメラ１Ａの機能構成は、基本的に第１実施形態のビデオカメラ１と同じであるが、第１実施形態のビデオカメラ１が記憶手段２０３に記憶された基動画を選択していたのに対し、第２実施形態のビデオカメラ１Ａが基動画の選択後、選択した基動画の一場面を示す画像をさらに選択する点で異なる。
【００５８】
すなわち、撮影手段１０１が撮影した動画の動画データ及び音声データが制御部２０へ供給されると、倍率変更手段２０１は、ズームボタン４３の操作により、撮影中の動画の大きさを調整する。そして、合成手段２０２は、撮影した動画データ（音声データ）を記憶手段２０３に記憶された基動画データと合成する。
【００５９】
この場合において、画像選択手段２１１は、選択ボタン４１の操作により、記憶手段２０３に記憶された複数の基動画から１の基動画を選択するとともに、選択された基動画の一場面を示す複数の画像から１の画像を選択する（図８参照）。そして、合成手段２０２は、選択された１の画像の画像データを背景に、撮影中の動画を合成する。
なお、基動画の一場面を示す複数の画像は、ユーザにより予め作成することとしてもよく、また、ビデオカメラ１Ａに基動画から所定の時間間隔で画像を抜き出す機能を持たせ作成することとしてもよい。
【００６０】
合成手段２０２により合成されると、表示手段３０１には、選択された画像を背景に、撮影中の動画が合成された合成動画（背景：静止画、前景：動画）が表示される。
この場合においても、ユーザは、表示手段３０１に表示される合成動画から撮影中の被写体の大きさを確認することができ、合成動画に対して被写体の大きさが不適切である場合には、ズームボタン４３を操作し、合成動画における被写体の大きさを調整することができる。
【００６１】
そして、合成動画における被写体の大きさが適切になった場合には、ユーザが録画ボタン４４を操作することで、録画手段２０５は記憶手段２０３に合成動画データを記憶する。この場合において、ユーザの録画ボタン４４に対する操作に応じて、合成動画の背景として用いられている基動画は選択された一場面を基点に再生される。すなわち、録画ボタン４４が操作されると、記憶手段２０３には、背景、前景ともに動画である合成動画が記憶される。
【００６２】
このように、本実施の形態におけるビデオカメラ１Ａでは、被写体の大きさを合成する背景に適した大きさに調整した後に、背景の動きを開始する。そのため、リアルタイムの動画の合成において、合成動画における被写体の大きさが不適切になることを防止しつつ、合成する被写体を基動画の動作に合わせることができる。
【００６３】
［表示手段３０１の表示例］
次に、図８及び図９を参照して、第２実施形態のビデオカメラ１Ａの表示手段３０１の表示例について説明する。図８は、背景画像選択時の表示手段３０１の表示例を示し、図９は、合成動画における被写体の大きさの調整から合成動画の録画までの表示手段３０１の表示例を示す。
【００６４】
複数の基動画から１の基動画を選択すると、図８に示すように表示手段３０１には基動画の一場面を示す画像が複数表示される。例えば、画像９１は人物８３がゴルフスイングのアドレスをとっている画像であり、画像９３は人物８３がゴルフスイングを開始した（バックスイング）画像である。また、画像９５は人物８３のゴルフスイングのインパクトの瞬間の画像であり、画像９７は人物８３がゴルフスイングを終了した（フォロースイング）画像である。
【００６５】
ユーザは選択ボタン４１を操作して、表示手段３０１に表示された画像から被写体と合成する背景画像を選択する。例えば、人物８３がゴルフスイングのアドレスをとっている画像９１が選択された場合について、図９を参照して説明する。
【００６６】
図９（１）は、画像９１が選択され、同期ボタン４２が操作された際の表示手段３０１の表示例である。表示手段３０１には、背景としてのゴルフ場において人物８３がゴルフスイングのアドレスをとっている静止画と、前景としてのビデオカメラ１Ａで撮影中の被写体８１の動画と、が合成された合成動画７７が表示される。図９（１）において、表示手段３０１の表示から人物８３に比べて被写体８１が著しく大きいことが認識される。この場合において、ユーザがズームボタン４３を操作することで、撮影中の被写体８１の大きさを調整することができる。
【００６７】
図９（２）は、被写体８１の大きさを調整した際の表示手段３０１の表示例である。大きさの調整により、被写体８１は人物８３に対して適切な大きさになっている。この場合において、合成動画７７では人物８３は静止しており、被写体８１の大きさを調整する時間に応じて人物８３のスイングが終わってしまうことがない。
【００６８】
その後、ユーザの録画ボタン４４の操作に合わせて被写体８１がゴルフスイングを行うことで、図９（３）に示すように被写体８１と人物８３とが動きを合わせてゴルフスイングを行う合成動画７９が表示手段３０１に表示されるとともに、この合成動画７９が記憶手段２０３に記憶される。
【００６９】
このように、第２実施形態のビデオカメラ１Ａによれば、被写体８１の撮影中における基動画とのリアルタイムの合成及びリアルタイムの表示を実現しつつ、合成する被写体８１を基動画の動作に合わせることができる。すなわち、第２実施形態のビデオカメラ１Ａは、基動画の動作に合わせて撮影中の被写体を合成する場合に好適である。
【００７０】
［ビデオカメラ１Ａの処理］
次に、図１０を参照して、ビデオカメラ１Ａにおける処理の流れを説明する。
【００７１】
Ｓ１１、Ｓ１１０：選択ボタン４１に対するユーザの操作を受け、画像選択手段２１１は記憶手段２０３に記憶された複数の基動画データから１の基動画データを選択する。１の基動画データが選択されると、選択ボタン４１に対するさらなるユーザの操作を受け、画像選択手段２１１は記憶手段２０３に記憶された基動画データの一場面を示す複数の画像データから１の画像データを選択する。
【００７２】
Ｓ１２、Ｓ１３：そして、同期ボタン４２に対するユーザの操作を受け、合成手段２０２による合成処理を行い、
Ｓ１４：合成した合成動画を表示手段３０１に表示する。
【００７３】
Ｓ１５、Ｓ１６：ユーザからのズーム調整（ユーザからのズームボタン４３の操作）を受けると、倍率変更手段２０１は被写体の大きさを調整する。
このとき、合成手段２０２が倍率変更手段２０１により調整された大きさで被写体と基動画とを合成するとともに、表示手段３０１には被写体の大きさが調整された合成動画が表示される。
【００７４】
Ｓ１７、Ｓ１８：合成動画における被写体の大きさの調整後、録画ボタン４４に対するユーザの操作を受けると、合成動画の背景として用いられている基動画は選択された一場面を基点に再生され、合成手段２０２は再生された基動画と撮影中の被写体とを合成する。このとき、録画手段２０５は合成手段２０２により合成された合成動画を記憶手段２０３に記憶するとともに、表示手段３０１には合成手段２０２により合成された合成動画が表示される。
【００７５】
以上、本発明の実施形態を説明したが、具体例を例示したに過ぎず、特に本発明を限定するものではない。例えば、上記実施形態のビデオカメラ１、１Ａでは、基動画を背景に合成動画を生成しているが、基動画を前景に撮影中の被写体を背景にしても良い。すなわち、ビデオカメラ１，１Ａに、予め用意した景色などの背景動画に、特定の色を背景に撮影中の被写体の動画を合成するノーマルモードの機能、及び予め用意した特定の色を背景に撮影された被写体の動画に、撮影中の景色などの背景を合成するリバースモード機能を設けることとしてもよい。
また、上記実施形態のビデオカメラ１、１Ａでは、基動画をビデオカメラ１、１Ａの記憶手段２０３に記憶しているが、例えば、外部端末から抽出することとしてもよく、また、ネットワークを経由してダウンロードすることとしてもよい。
また、撮影中の動画を特定の色を背景に撮影することとしているが、基動画を特定の色を背景に撮影することとしても良い。すなわち、撮影中の動画又は基動画のいずれかを特定の色を背景に撮影すればよい。
【００７６】
なお、本発明の実施形態に記載された効果は、本発明から生じる最も好適な効果を列挙したに過ぎず、本発明による効果は、本発明の実施形態に記載されたものに限定されるものではない。
【符号の説明】
【００７７】
１，１Ａ  ビデオカメラ
１０  入力部
１０１  撮影手段
２０  制御部
２０１  倍率変更手段
２０２  合成手段
２０３  記憶手段
２０４  動画選択手段
２０５  録画手段
３０  出力部
３０１  表示手段
４０  操作部
【図１】
2010193155.tif 000003
【図２】
2010193155.tif 000004
【図３】
2010193155.tif 000005
【図４】
2010193155.tif 000006
【図５】
2010193155.tif 000007
【図６】
2010193155.tif 000008
【図７】
2010193155.tif 000009
【図８】
2010193155.tif 000010
【図９】
2010193155.tif 000011
【図１０】
2010193155.tif 000012